(57)【特許請求の範囲】
【請求項１】
データ通信可能に接続された複数の情報端末から成るコンピュータネットワークに接続されたサーバコンピュータを用いて、アクセス利用者に対して遊技場における監視画像情報を少なくとも含む遊技場管理情報の提供を行う遊技場管理情報の提供方法であって、
前記サーバコンピュータは、前記遊技場管理情報の入手が許容された利用者を特定可能な利用者識別情報と、該利用者が入手を許可された遊技場管理情報の提供元となる遊技場を特定可能な遊技場識別情報とが少なくとも対応付けて登録された利用者データベースを有し、
アクセス利用者から利用者識別情報を入手する受付けステップと、
アクセス利用者から前記監視画像情報として配信を要求する監視領域の指定を受付ける監視領域受付けステップと、
前記受付けステップにおいて入手した利用者識別情報の照合を前記利用者データベースの登録情報に基づいて行う照合ステップと、
該照合ステップにおける照合が一致したアクセス利用者が該当する遊技場を前記利用者データベースの登録情報に基づいて特定し、該特定された遊技場より少なくとも前記監視領域受付けステップにて指定を受付けた監視領域の監視画像情報を入手する遊技場管理情報入手ステップと、
該入手した監視画像情報を含む遊技場管理情報をアクセス利用者に配信する配信ステップと、
前記配信ステップにおける遊技場管理情報の配信履歴を登録する配信履歴登録ステップと、
該登録された配信履歴をアクセス利用者に配信する履歴配信ステップと、
を少なくとも含み、
前記各ステップを、前記アクセス利用者からのアクセス毎に実施する、
ことを特徴とする遊技場管理情報の提供方法。
【請求項２】
前記受付けステップにおける入手情報に基づいて特定されるアクセス利用者の該当遊技場が複数存在する場合において、該複数の該当遊技場における各遊技場が選択可能に表示された選択メニュー画面を生成してアクセス利用者に配信し、遊技場管理情報の入手を希望する遊技場をアクセス利用者から受付ける遊技場選択ステップを含む請求項１に記載の遊技場管理情報の提供方法。
【請求項３】
前記配信ステップにおいて配信された所定回数分の監視画像情報を更新記録する監視画像記録ステップと、該監視画像記録ステップにて記録されている配信済みの監視画像情報の再配信を受付ける再配信受付けステップと、該再配信受付けステップにて受付けた配信済みの監視画像情報を再配信する監視画像再配信ステップと、を含む請求項１または２に記載の遊技場管理情報の提供方法。
【請求項４】
前記サーバコンピュータは、情報端末の種別と該情報端末種別が該当するファイル形式並びに表示仕様とが登録された端末データベースを有し、前記アクセス利用者の情報端末の種別を特定可能な端末種別情報を入手する端末種別情報入手ステップと、該入手した端末種別情報から前記アクセス利用者が使用している情報端末の端末種別を特定するとともに、該特定した端末種別が該当するファイル形式並びに表示仕様に前記遊技場管理情報入手ステップにて入手した遊技場管理情報を変換する変換ステップと、を含み、該変換された遊技場管理情報を前記配信ステップにて配信する請求項１〜３のいずれかに記載の遊技場管理情報の提供方法。
【請求項５】
前記利用者データベースには、利用者の電子メールアドレスが登録され、予め定められた異常状態の発生時に前記遊技場より送信される異常時遊技場管理情報を前記サーバコンピュータが受付けた場合において、該異常時遊技場管理情報を含む電子メールを、前記異常時遊技場管理情報を送信した遊技場に該当する利用者に送信する電子メール送信ステップを含む請求項１〜４のいずれかに記載の遊技場管理情報の提供方法。
【請求項６】
前記監視画像情報は、複数の連続した監視画像或いは動画映像である請求項１〜５のいずれかに記載の遊技場管理情報の提供方法。
【発明の詳細な説明】
【０００１】
【発明の属する技術分野】
本発明は、遊技機が設置された遊技場において、遊技場経営者や遊技場関係者等の利用者が自分の所有する携帯電話やパソコン等の情報端末を用いて、外出先等からでも簡単に売上や遊技機の稼働状況並びに遊技場の監視画像等の遊技場管理情報を入手できるようにする遊技場管理情報の提供方法に関する。
【０００２】
【従来の技術】
従来より多くの遊技場においては、遊技客や従業員等の不正を防いだり或いは不正の発見等の目的から遊技場に設置されている遊技機の稼働状況や売上等の管理情報を収集して管理する管理コンピュータ等の管理装置や、監視画像等を収集、記録する監視装置等が設置されている。
【０００３】
これら管理コンピュータや監視装置等は、通常において遊技場の事務室等に設置されているため、遊技場においては管理情報や監視画像を確認できるものの、遊技場外では確認することができないことから、通信回線（有線、無線を含む）等を利用して、確認したい時に頻繁或いは断続的にでも管理情報や監視画像を確認できるようにしたいとか、管理情報や監視画像に何らかの異常が生じた場合に、所持している携帯電話等の情報端末にいち早く異常を伝えることが出来ないか、といった要求がある。
【０００４】
【発明が解決しようとする課題】
しかしながら、現状の管理コンピュータ等の管理装置や前記監視装置にあっては、各遊技場に特別なサーバ等を個々に設置して通信回線を介して携帯電話などに管理情報や異常を伝達できるようにする方法が考えられるものの、各遊技場にサーバ等を含む大がかりなコンピュータシステムを導入しなければならず多額の設備投資が必要になるばかりか、遊技場の経営者や関係者等の特定利用者のみが利用できるコンピュータシステムとなるため、その稼働率が非常に低いものになってしまい、無駄が多いものとなってしまうという問題があった。
【０００５】
よって、本発明は上記した問題点に着目してなされたもので、稼働率を向上させることで、遊技場の経営者や関係者等の利用者が簡便にかつ安価にて遊技場の管理情報や監視画像を入手することのできる遊技場管理情報の提供方法を提供することを目的としている。
【０００６】
【課題を解決するための手段】
上記課題を解決するために、本発明の遊技場管理情報の提供方法は、データ通信可能に接続された複数の情報端末から成るコンピュータネットワークに接続されたサーバコンピュータを用いて、アクセス利用者に対して遊技場における監視画像情報を少なくとも含む遊技場管理情報の提供を行う遊技場管理情報の提供方法であって、
前記サーバコンピュータは、前記遊技場管理情報の入手が許容された利用者を特定可能な利用者識別情報と、該利用者が入手を許可された遊技場管理情報の提供元となる遊技場を特定可能な遊技場識別情報とが少なくとも対応付けて登録された利用者データベースを有し、
アクセス利用者から利用者識別情報を入手する受付けステップと、
アクセス利用者から前記監視画像情報として配信を要求する監視領域の指定を受付ける監視領域受付けステップと、
前記受付けステップにおいて入手した利用者識別情報の照合を前記利用者データベースの登録情報に基づいて行う照合ステップと、
該照合ステップにおける照合が一致したアクセス利用者が該当する遊技場を前記利用者データベースの登録情報に基づいて特定し、該特定された遊技場より少なくとも前記監視領域受付けステップにて指定を受付けた監視領域の監視画像情報を入手する遊技場管理情報入手ステップと、
該入手した監視画像情報を含む遊技場管理情報をアクセス利用者に配信する配信ステップと、
前記配信ステップにおける遊技場管理情報の配信履歴を登録する配信履歴登録ステップと、
該登録された配信履歴をアクセス利用者に配信する履歴配信ステップと、
を少なくとも含み、
前記各ステップを、前記アクセス利用者からのアクセス毎に実施する、
ことを特徴としている。
この特徴によれば、個々の遊技場に大がかりなコンピュータシステム等を導入することなく、同一の前記サーバコンピュータにアクセスして該当する遊技場の少なくとも監視画像の配信を受けられるようになり、これらサーバコンピュータの稼働率を向上できるようになるため、各遊技場の経営者や関係者等の利用者が簡便にかつ安価にて遊技場管理情報を入手することが可能となるばかりか、これら遊技場の遊技場管理情報の入手のために、個別のサーバコンピュータにアクセスする必要がなく、利用者の利便性を向上することができる。また、アクセス利用者は、自分に配信された遊技場管理情報の配信履歴と前記履歴配信ステップにて配信された配信履歴とを比較することにより、不正な情報入手があったか否かを確認できる。
【０００７】
本発明の遊技場管理情報の提供方法は、前記受付けステップにおける入手情報に基づいて特定されるアクセス利用者の該当遊技場が複数存在する場合において、該複数の該当遊技場における各遊技場が選択可能に表示された選択メニュー画面を生成してアクセス利用者に配信し、遊技場管理情報の入手を希望する遊技場をアクセス利用者から受付ける遊技場選択ステップを含むことが好ましい。
このようにすれば、アクセス利用者が例えば複数の遊技場の経営者や関係者である場合には、同一のサーバコンピュータにアクセスするのみで、該当する遊技場の中から遊技場管理情報の入手を希望する遊技場を容易に選択して、所望する遊技場の管理情報を入手することができ、利用者の利便性を向上できる。
【００１１】
本発明の遊技場管理情報の提供方法は、前記配信ステップにおいて配信された所定回数分の監視画像情報を更新記録する監視画像記録ステップと、該監視画像記録ステップにて記録されている配信済みの監視画像情報の再配信を受付ける再配信受付けステップと、該再配信受付けステップにて受付けた配信済みの監視画像情報を再配信する監視画像再配信ステップと、を含むことが好ましい。
このようにすれば、新たな監視画像情報の配信を受けて監視画像が更新されても、例えば更新以前の監視画像を再度確認したい場合には、更新以前の監視画像の再配信を受けて再度更新以前の監視画像を確認することができる。
【００１２】
本発明の遊技場管理情報の提供方法は、前記サーバコンピュータは、情報端末の種別と該情報端末種別が該当するファイル形式並びに表示仕様とが登録された端末データベースを有し、前記アクセス利用者の情報端末の種別を特定可能な端末種別情報を入手する端末種別情報入手ステップと、該入手した端末種別情報から前記アクセス利用者が使用している情報端末の端末種別を特定するとともに、該特定した端末種別が該当するファイル形式並びに表示仕様に前記遊技場管理情報入手ステップにて入手した遊技場管理情報を変換する変換ステップと、を含み、該変換された遊技場管理情報を前記配信ステップにて配信することが好ましい。
このようにすれば、利用者が異なる情報端末、例えば異なる通信会社の携帯電話或いは同一の通信会社であっても機種が異なる場合等であっても、個々の機種毎にサーバコンピュータを設ける必要がないばかりか、同一の利用者が異なる機種、例えば携帯電話やパソコン等のように複数の機種の情報端末を所有する場合においては、携帯電話は携帯電話に応じたファイル形式並びに表示仕様に、パソコンではパソコンに応じたファイル形式並びに表示仕様に管理情報並びに監視画像が自動的に変換されて配信されるようになるため、アクセスに使用している情報端末の種別等を一々入力したり変更する必要等がなく、利用者の利便性を向上できる。
【００１３】
本発明の遊技場管理情報の提供方法は、前記利用者データベースには、利用者の電子メールアドレスが登録され、予め定められた異常状態の発生時に前記遊技場より送信される異常時遊技場管理情報を前記サーバコンピュータが受付けた場合において、該異常時遊技場管理情報を含む電子メールを、前記異常時遊技場管理情報を送信した遊技場に該当する利用者に送信する電子メール送信ステップを含むことが好ましい。
このようにすれば、アクセス利用者は、異常時遊技場管理情報を入手することで、該異常状態の発生を迅速に知ることができる。
【００１５】
本発明の遊技場管理情報の提供方法は、前記監視画像情報は、複数の連続した監視画像或いは動画映像であることが好ましい。
このようにすれば、監視画像を複数の連続した監視画像或いは動画映像とすることで、監視画像によるより詳細な状況把握が可能となる。
【００１６】
【発明の実施の形態】
次に、本発明の実施の形態を図面に基づいて詳細に説明する。
【００１７】
（実施例）
本実施例における遊技場管理情報の提供方法が適用された配信サーバ１を有する遊技場管理情報提供システムは、図１並びに図２に示すように、各遊技場ａ、ｂ…毎に設置され、これら遊技場に設置されたビデオカメラ６（図２参照）から出力される画像データを記録するビデオコントローラ９と、これら遊技場に設置された遊技機並びに関連機器における遊技データや売上データ等の管理データを収集・管理するホールコンピュータ１１と、これらビデオコントローラ９並びにホールコンピュータ１１に接続され、これらの機器から入手した画像データ並びに管理データを後述の配信サーバ１に送信する送信用コンピュータ７と、該送信用コンピュータ７に接続されるルータ１０と、これら各遊技場のルータ１０と通信回線網４を介してデータ通信可能に接続されるとともに、オープンコンピュータネットワークとしてのインターネット網５に接続されたサーバコンピュータとしての配信サーバ１と、前記インターネット網５への接続機能を有し、該インターネット網５を介して前記配信サーバ１とのデータ通信が可能とされたパーソナルコンピュータ３ａやＰＤＡ３ｂ、携帯電話３ｃ等の利用者がアクセスに使用する情報端末（コンピュータ端末）と、から主に構成されている。
【００１８】
まず、本実施例において利用者が使用する情報端末としては、前述のようにインターネット網５への接続機能を有するパーソナルコンピュータ３ａやＰＤＡ３ｂ、携帯電話３ｃを例示しており、このようにインターネット網５に接続可能な端末を情報端末として用いることは、インターネット網５にアクセスするアクセスポイントまでの料金にて配信サーバ１とのデータの送受が実施可能となり、利用者の負担を軽減できることから好ましいが、本発明はこれに限定されるものではなく、これら情報端末としては、インターネット網５以外に通信回線や専用線等を用いて前記配信サーバ１とのデータの送受が実施可能な情報端末であって、受信した情報を表示できるものであれば使用することができ、例えば通信回線網４やインターネット網５を介して配信サーバ１に接続可能とされたゲーム機やインターネット閲覧機能を有する設置型電話機等であっても良い。
【００１９】
次いで、本実施例における遊技場の構成を説明すると、これら遊技場には、図２に示すように、所定の監視領域を撮像可能に設置された複数のビデオカメラ６と、遊技場の所定箇所に設置された熱・煙検出センサ８ａや動物等が発する赤外線を検出可能な赤外線センサ８ｂ等の各種センサ８と、前記ビデオカメラ６から出力される画像データの記録や、前記各ビデオカメラ６の撮像領域の変更制御、前記各種センサ８からの異常出力の検出等を行うビデオコントローラ９と、図３に示すように、これら遊技場に設置されたパチンコ機（以下Ｐ機）１２ａ、スロットマシン（以下Ｓ機）１２ｂ等の遊技機や、これら遊技機にて遊技を行うためのパチンコ玉やメダル等の貸出を行うカードユニット１３ａ、メダル貸機１３ｂや、前記Ｐ機１２ａにて遊技を行うためのプリペイドカードの販売を行う販売機１４や、該販売機１４や前記メダル貸機１３ｂにて回収された貨幣を回収する金庫１６や、前記Ｐ機にて獲得したパチンコ玉を計数する玉計数機１５ａ、前記Ｓ機にて獲得したメダルを計数するメダル計数機１５ｂ等の関連機器から出力される各種データに基づき当該遊技場の遊技データ並びに売上データ等の管理データを収集・管理するホールコンピュータ１１と、これらビデオコントローラ９並びにホールコンピュータ１１に接続され、前記配信サーバ１からのデータ要求に基づき、要求された画像データ並びに管理データからなる遊技場管理情報を前記ビデオコントローラ９並びにホールコンピュータ１１より入手して配信サーバ１に送信する送信用コンピュータ７と、該送信用コンピュータ７と前記配信サーバ１とが通信回線網４を介してデータ通信を行うためのルータ１０と、が設けられている。
【００２０】
本実施例のビデオコントローラ９は、図４に示すように、各部の制御を行うＣＰＵ３１と、ワークメモリ等として使用されるＲＡＭ３２と、日時情報を出力する時計装置（ＲＴＣ）３３と、キーボード等の入力装置３４と、外部モニタ（図示略）への表示出力を行う画像出力インターフェイス３６と、送信用コンピュータ７とのデータの送受を行う通信インターフェイス３７と、各ビデオカメラ６の駆動制御を実施するカメラ制御部３８と、前記各ビデオカメラ６から出力された画像信号をデジタルデータ化する画像処理回路３９と、遊技場に設置された各種センサ８からの出力を検出するセンサ回路４０と、前記ＣＰＵ３１が実施する各種処理内容が記述された制御プログラムが記憶されているとともに、前記画像処理回路３９にてデジタルデータ化された画像データを各ビデオカメラ６毎に記録する磁気ディスク（ＨＤＤ）等から成る記憶装置３５と、が内部にてデータの送受を行うデータバス３０に接続されたコンピュータとほぼ同様の構成とされている。
【００２１】
このビデオコントローラ９では、前記各ビデオカメラ６において撮像された画像データを前記外部モニタに表示する監視機能や、撮像された画像データをデジタルデータとして各ビデオカメラ６毎に記憶装置３５に記録し、該記録した画像データを必要に応じて再生する録画再生機能等に加えて、前記送信用コンピュータ７からのデータ出力要求に基づき、要求された画像データを出力する機能や、前記各種センサ８において異常検出がなされた際に、該異常検出に該当する画像データを含む異常検出情報を送信用コンピュータに出力する機能が設けられている。
【００２２】
次いで、本実施例に用いたホールコンピュータ１１は、図５に示すように、コンピュータ内部にてデータの送受を行うデータバス１１２に、各種処理やデータの集計または算出等を行うＣＰＵ１１３、ＲＡＭ１０８、時刻情報やカレンダ情報を出力する時計装置（ＲＴＣ）１１４、表示装置１０７並びにプリント装置１１１、キーボードやマウス等の入力装置１１０、磁気ディスクや光磁気ディスクから成る記憶装置１０９、前記各遊技機並びに関連機器からのデータ入力を行う第１通信インターフェィス１０６、前記送信用コンピュータ７とのデータ通信を行う第２通信インターフェイス１１５と、が接続された通常のコンピュータである。
【００２３】
また、前記記憶装置１０９には、該ホールコンピュータ１１の各種処理を実施するための処理プログラムや、入力装置１１０の操作等に基づき出力されるデータの算出を行う算出プログラムに加えて、各Ｐ機の台番号に対応して当該台番の遊技データ並びに売上データが登録されるＰ機データテーブル（図６（ａ）参照）と、各Ｓ機の台番号に対応して当該台番の遊技データ並びに売上データが登録されるＳ機データテーブル（図６（ｂ）参照）と、前記カードユニット１３ａ、メダル貸機１３ｂの売上データが登録されるサンド売上テーブルと、遊技場の入客状況が登録される入客推移テーブルと、金庫１６の貨幣回収状況が登録される金庫回収金テーブルと、玉計数機１５ａ並びにメダル計数機１５ｂの売上データが登録される計数機売上テーブルと、販売機１４の売上データが登録される販売機売上テーブルと、から構成される台管理データベース（ＤＢ）が記憶されており、該台管理データベースにおける各テーブルの登録内容は、前記遊技機並びに関連機器から入力されるデータに基づいて、逐次最新の情報に更新されるようになっている。
【００２４】
また本実施例のホールコンピュータ１１においては、前記入力装置１１０の操作により、前記台管理ＤＢの各テーブルの登録データが集計または算出され、これら集計または算出された遊技データ並びに売上データ等の管理データが表示装置１０７またはプリント装置１１１にて表示出力またはプリント出力されるようになっている。また、前記送信用コンピュータ７からのデータ出力要求に基づいても、前記台管理ＤＢの各テーブルの登録データが集計または算出され、これら集計または算出された遊技データ並びに売上データ等の管理データが、前記送信用コンピュータ７に対して送信されるようになっている。
【００２５】
また本実施例のホールコンピュータ１１においては、前記台管理ＤＢのＰ機データテーブル並びにＳ機データテーブルに登録されている異常検出履歴（図６参照）に基づき所定期間内（例えば１時間以内）に同一台番号の遊技機にて同一の異常が登録された場合に、該当する台番号の遊技機が異常有りと判定されるようになっており、これに基づき、遊技場名と、異常と判定された台番号と、タイプ（Ｐ機またはＳ機）と、異常の種別と、異常が発生した時間帯と、からなる異常検出情報が、送信用コンピュータ７に対して出力されるようになっている。
【００２６】
次いで、本実施例の送信用コンピュータ７は、図７に示すように、コンピュータ内部にてデータの送受を行うデータバス７０に、該送信用コンピュータが行う各種処理を行うＣＰＵ７１、ＲＡＭ７２、時刻情報やカレンダ情報を出力する時計装置（ＲＴＣ）７３、磁気ディスクや光磁気ディスクから成る記憶装置７４、前記ビデオコントローラ９並びにホールコンピュータ１１とのデータ通信を行う第１通信インターフェィス７５、前記ルータ１０を介して配信サーバ１とのデータ通信を行う第２通信インターフェイス７６と、が接続された通常のコンピュータである。
【００２７】
また、前記記憶装置７４には、該送信用コンピュータ７の各種処理を実施する処理プログラムに加えて、図８に示すように、前述したビデオカメラ６のカメラ番号に対応して当該ビデオカメラ６の監視エリア（撮像可能領域）と、該監視エリアが遊技島である場合には該遊技島に設置される遊技機の機種と、該遊技機の台番号と、が登録された対応データベース（ＤＢ）が記憶されている。
【００２８】
また、本実施例の送信用コンピュータ７では、ルータ１０を介して受信した配信サーバ１からのデータ要求に基づき、要求された管理データ並びに画像データの出力要求を前記ビデオコントローラ９並びにホールコンピュータ１１に行い、該ビデオコントローラ９並びにホールコンピュータ１１から出力された管理データ並びに画像データを配信サーバ１に対して送信する処理を行うようになっている。
【００２９】
また本実施例の送信用コンピュータ７においては、前記ビデオコントローラ９並びにホールコンピュータ１１より出力された異常検出情報を、ルータ１０を介して配信サーバ１に対して送信する処理を行うようになっている。
【００３０】
次いで本実施例に用いた前記ルータ１０は、図９に示すような構成とされ、前記送信用コンピュータ７とローカルエリアネットワーク（ＬＡＮ）にて接続され、該送信用コンピュータ７との双方向データ通信を行う通信部５３と、通信回線網４であるＩＳＤＮ回線を介して前記配信サーバ１とのデータ通信を行うとともに、発呼者の電話番号情報（コールＩＤ）を後述のＭＰＵ５４に出力可能とされ、且つ後述する接続処理を実施するターミナルアダプタ部５１と、後述のＭＰＵ５４の処理プログラムや配信サーバ１のコールＩＤ（電話番号）等が記憶された記憶部５５と、から主に構成されており、該ルータ１０を介することで、前記送信用コンピュータ７と、配信サーバ１とのデータ通信が実施できるようになっている。
【００３１】
このルータ１０による配信サーバ１との接続処理は、配信サーバ１からの架電に基づく方法と、配信サーバ１へコールバックを行う方法との２通りの方法が選択可能とされており、これら２通りの接続処理はルータ１０の初期設定において選択できるようになっている。
【００３２】
これら接続処理の状況を図１０（ａ）（ｂ）に基づき説明する。まず、前者の方法（配信サーバ１からの架電に基づく方法）が設定されたルータ１０の接続処理について説明すると、図１０（ａ）に示すように、該ルータ１０は通常時において配信サーバ１からの発呼待ちの状態であり（Ｓａ１）、この状態で発呼を受けた場合には、着呼して回線を開き（Ｓａ２）、前記発呼に伴い受信したコールＩＤ（電話番号）と、記憶部５５に記憶されているコールＩＤとを比較し（Ｓａ３）、これらコールＩＤが一致しなかった場合には、回線を切断し（Ｓａ７）、再び配信サーバ１からの着呼待ちの状態（Ｓａ１）に戻るようになっている。また、前記Ｓａ３においてコールＩＤが一致した場合には、発呼元の配信サーバ１との通信を許可する（Ｓａ４）。これにより該配信サーバ１と送信用コンピュータ７とのデータ送受が、これら配信サーバ１と送信用コンピュータ７とにそれぞれ固有に付与されたＩＰアドレスを用いて可能な状態となる。次いで、これら配信サーバ１と送信用コンピュータ７とのデータ送受待ちの状態となり（Ｓａ５、Ｓａ６）、この状態にて所定期間以上データ送受が検出されない場合には回線を切断し（Ｓａ７）、再び配信サーバ１からの着呼待ちの状態（Ｓａ１）に戻るようになっている。
【００３３】
このように前者の接続処理が適用されたルータ１０では、配信サーバ１からの発呼に際し、該発呼に伴い受信したコールＩＤ（電話番号）と、記憶部５５に予め記憶されているコールＩＤとが一致した場合においてのみ配信サーバ１と送信用コンピュータ７との通信を許可するようになっており、前記コールＩＤが一致しない限りデータの送信がなされることがないため、不正なアクセスにより第三者に当該遊技場の遊技場管理情報が入手されてしまうことを防止できるようになっている。
【００３４】
尚、この前者の接続処理においては、着呼して回線を開いた後コールＩＤを比較し、一致しない場合には回線切断を実施するようになっているが、発呼を受けた際に、コールＩＤを比較し、一致しない場合には着呼を拒否するようにし、一致した場合に着呼を実施して通信を許可するようにしても良い。
【００３５】
次いで、後者の方法（配信サーバ１へコールバックを行う方法）が設定されたルータ１０の接続処理について説明すると、図１０（ｂ）に示すように、該ルータ１０は通常時において配信サーバ１からの発呼待ちの状態であり（Ｓｂ１）、この状態で発呼を受けた場合には、着呼を実施して回線を開く（Ｓｂ２）。次いで前記発呼に伴い受信したコールＩＤ（電話番号）と、記憶部５５に記憶されているコールＩＤとを比較し（Ｓｂ３）、これらコールＩＤが一致しない場合には、回線を切断し（Ｓｂ９）、再び配信サーバ１からの着呼待ちの状態（Ｓｂ１）に戻るようになっている。また、前記Ｓｂ３の比較においてコールＩＤが一致した場合には、回線を切断し（Ｓｂ４）、発呼元の配信サーバ１（記憶されているコールＩＤ）へのコールバック（架電）を実施し（Ｓｂ５）、配信サーバ１に接続されることで、該配信サーバ１と送信用コンピュータ７とのデータ送受が可能な状態となる（Ｓｂ６）。次いで、これら配信サーバ１と送信用コンピュータ７とのデータ送受待ちの状態となり（Ｓｂ７、Ｓｂ８）、この状態にて所定期間以上データ送受が検出されない場合には回線を切断し（Ｓｂ９）、再び配信サーバ１からの着呼待ちの状態（Ｓｂ１）に戻るようになっている。
【００３６】
このように後者の接続処理が適用されたルータ１０では、配信サーバ１からの発呼に際し、該発呼に伴い受信したコールＩＤ（電話番号）と、記憶部５５に予め記憶されているコールＩＤとが一致した場合に、ルータ１０側から配信サーバ１に対してコールバックを実施して配信サーバ１と送信用コンピュータ７との通信を許可するようになり、これによりデータが送信されるようになるため、データの送信先が必ず配信サーバ１となり、当該遊技場の遊技場管理情報が第三者に入手されてしまうことを防止できるようになっている。
【００３７】
尚、この後者の接続処理においては、一度着呼して回線を開き、コールＩＤを比較した後、回線切断を実施するようになっているが、発呼を受けた際に、着呼を実施せずにコールＩＤを比較し、一致しない場合には発呼の終了を待って再び発呼待ちの状態となるようにし、一致した場合には配信サーバ１の発呼の終了を待ってコールバックを実施するようにしても良い。
【００３８】
次いで、本実施例の遊技場管理情報提供システムを構成する配信サーバ１について説明すると、該配信サーバ１の構成は、図１１に示すように、サーバ内部にてデータの送受を行うデータバス２１に、該配信サーバ１が実施する各種処理等を実施するＣＰＵ２２、該ＣＰＵ２２が行う処理に使用されるワークメモリ等として使用されるＲＡＭ２３、日時情報を出力可能な時計装置（ＲＴＣ）２４と、インターネット網５を介して、利用者が所持する情報端末とのデータの送受信を行う第１通信部２６と、通信回線網４を介して前記遊技場のルータ１０に接続された送信用コンピュータ７とのデータの送受信を行う第２通信部２７と、前記ＣＰＵ２２が実施する遊技場管理情報（画像データ並びに管理データ）の配信処理等の各種処理を実施するための処理プログラムや、配信される遊技場管理情報を、利用者の使用する情報端末にて閲覧可能なファイル形式並びに表示仕様等の情報が登録された端末データベース（ＤＢ）や、これら利用者の使用する情報端末にて閲覧可能なファイル形式並びに表示仕様に配信データを変換するデータ変換プログラム、後述する利用者ＤＢやメニューＤＢ、配信履歴ＤＢ等の各種データが記憶された記憶装置２５と、が接続された比較的高速の演算処理が可能なコンピュータとされており、前記各遊技場のルータ１０と通信回線網４を介して接続可能とされているとともに、利用者の情報端末とインターネット網５を介して接続可能とされている。
【００３９】
また、前記記憶装置２５には、図１２（ａ）に示すように、各利用者のユーザコード毎に、ユーザＩＤ並びにパスワードからなる利用者識別情報と、利用者が入手可能な遊技場管理情報のレベルを示す利用者の種別情報としてのアクセスレベル（レベル１；遊技データ、画像データのみ、レベル２；全データ）と、利用者が遊技場管理情報を入手可能な遊技場を特定するための店舗コードと、該当する遊技場におけるルータ１０のコールＩＤ（電話番号）（遊技場識別情報）と、利用者の電子メールアドレスと、が登録された利用者データベース（ＤＢ）と、図１３に示すように、各利用者の利用する情報端末のタイプ（ポータブル；携帯電話、ＰＤＡ等、ＰＣ；デスクトップＰＣ、ノートＰＣ等）毎に、該当する利用者のアクセスレベルに応じて設定されるデータ選択メニューページ（選択メニュー画面）の組み合わせが登録されるメニューデータベース（ＤＢ）と、図１２（ｂ）に示すように、各利用者のユーザコード毎に、該当する利用者への遊技場管理情報の配信がなされた日付（利用者からのアクセスがあった日付）と、その際配信がなされた画像データと、が登録される配信履歴データベース（ＤＢ）と、図１２（ｃ）に示すように、アクセス利用者が使用する各通信キャリア毎の端末種別が、該端末種別に搭載されているブラウザソフトのバージョンや該ブラウザソフトのファイル形式、並びに受信可能ファイル容量や表示画面の仕様内容とともに登録されている端末データベースと、が記憶されている。
【００４０】
また、前記ＣＰＵ２２は、利用者が入力したユーザＩＤ並びにパスワード等と前記利用者データベースの登録情報との照合を行ない、その利用者が正規の利用者であるかを判定する認証処理や、利用者が選択入力した項目に該当する遊技場管理情報を、該当する遊技場の送信用コンピュータ７よりルータ１０を介して入手し、該入手した遊技場管理情報を、利用者の情報端末に対して配信するデータ配信処理や、前記ビデオコントローラ９やホールコンピュータ１１における異常検出（各種センサ８に基づく異常検出や台管理ＤＢにおけるセーフ異常等の検出）により送信用コンピュータ７から送信された異常検出情報に基づく異常報知メールを、対応する利用者の情報端末に電子メールとして送信する異常報知処理等の各種処理を実施するようになっている。
【００４１】
以下本実施例の遊技場管理情報提供システムの利用状況並びに各部の処理状況を図１４のフロー図に基づき説明する。
【００４２】
まず、遊技場の関係者（オーナーや店長等）である利用者が、該当する遊技場の遊技場管理情報を入手する場合には、所持する情報端末、例えば携帯電話３ｃにて配信サーバ１にアクセスする。これに基づき配信サーバ１は、図１６に示すログインページを利用者に配信し、このログインページにおいて、ユーザＩＤ並びにパスワードの入力を促す。
【００４３】
次いで、利用者は情報端末に表示されたログインページにおいて自らのユーザＩＤ並びにパスワードを入力し、「送信」を入力する。これにより配信サーバ１は、入力されたユーザＩＤ並びにパスワードと、利用者ＤＢに登録されているユーザＩＤ並びに対応するパスワードとを照合して利用者の認証を実施するとともに、認証された場合には、該当するメニューデータをメニューＤＢより抽出し、該抽出したメニューデータに基づき入手を希望するデータを選択するためのデータ選択ページを生成し、利用者の情報端末に配信する。
【００４４】
この際、ログインした利用者のユーザコードに対応するアクセスレベルに応じて異なるメニューデータに基づくデータ選択ページ、例えば、アクセスレベル１の利用者であれば、遊技データ並びに画像データのみを選択可能なデータ選択ページが配信され、アクセスレベル２の利用者であれば、遊技データ並びに売上データ、画像データの全データを選択可能なデータ選択ページが配信されるようになっており、これにより、利用者のアクセスレベルに応じて入手可能な遊技場管理情報の範囲を制限することができ、例えば売上データ等の機密性が高い遊技場管理情報はオーナーや経営者のみが入手できるようにする等の機密管理が可能とされている。
【００４５】
次いで、これら配信サーバ１より配信されたデータ選択ページに基づき、利用者が希望する遊技場管理情報を選択入力すると、配信サーバ１は、利用者ＤＢより該当する遊技場のコールＩＤを抽出し、該当する遊技場のルータ１０に架電する。これに基づき遊技場のルータ１０においては前述の接続処理が実施されて配信サーバ１と当該遊技場の送信用コンピュータ７とのデータ通信が可能な状態となる。
【００４６】
次いで、配信サーバ１は前記送信用コンピュータ７に対して利用者が前記データ選択ページにおいて選択入力した遊技場管理情報を要求する。該要求に基づき送信用コンピュータ７は、要求された遊技場管理情報（遊技データ、売上データ、画像データ）をビデオコントローラ９並びにホールコンピュータ１１より入手し、該入手した遊技場管理情報を、配信サーバ１に送信する。これに基づき配信サーバ１では、受信した遊技場管理情報に基づくデータ表示ページを生成し、該データ表示ページを利用者の情報端末に配信するようになっており、これにより遊技場管理情報が利用者に提供されるようになっている。
【００４７】
また、本実施例の配信サーバ１では、利用者がアクセスする際に、該利用者が使用する情報端末の端末機種情報を、該情報端末より送られてくるＨＴＴＰヘッダ等の送信データの先頭情報より自動的に入手し、該入手した端末機種情報に該当する機種のファイル形式や表示仕様等を前記端末ＤＢにて特定するようになっており、これら特定した端末の内容から図１５に示すように、前記データ変換プログラムが、前記データ選択ページやデータ表示ページを、利用者の端末機種に合わせたファイル形式並びに表示仕様に変換した後、利用者の情報端末に対して配信するようになっており、利用者が異なる情報端末、例えば異なる通信会社の携帯電話或いは同一の通信会社であっても機種が異なる場合等であっても、個々の機種毎に配信サーバ１を設ける必要がないばかりか、同一の利用者が異なる機種、例えば携帯電話３ｃやパーソナルコンピュータ３ａ等のように複数の機種の情報端末を所有する場合においては、携帯電話３ｃは携帯電話に応じたファイル形式並びに表示仕様に、パソコンではパソコンに応じたファイル形式並びに表示仕様に遊技場管理情報が自動的に変換されて配信されるようになり、利用者の利便性を向上できるようになっている。
【００４８】
これら配信サーバ１における遊技場管理情報の配信状況を具体的に説明すると、例えば、ログインした利用者が、遊技場ａ並びに遊技場ｂの全ての遊技場管理情報を入手可能なユーザコード「１１００１」の利用者であり、使用される情報端末が携帯電話３ｃ等のポータブルタイプである場合には、図１３並びに図１６に示すように、メニューＤＢにおいてポータブルに該当する先頭のデータ選択ページ１を配信する。この配信されたデータ選択ページ１にて「全店」を選択すると、図１６に示すように、遊技場ａ並びに遊技場ｂの双方の遊技場管理情報における「Ｐ機データ」「Ｓ機データ」「Ｐ機売上」「Ｓ機売上」「全体売上」を選択可能なデータ選択ページ２が配信されるようになっており、前記データ選択ページ１において、「遊技場ａ」若しくは「遊技場ｂ」を選択すると、図１６に示すように、遊技場ａ若しくは遊技場ｂの「管理データ」若しくは「画像データ」を選択可能なデータ選択ページ３−ａ若しくはデータ選択ページ３−ｂが配信されるようになっている。
【００４９】
利用者が、前記データ選択ページ２において「Ｐ機データ」を選択入力した場合において配信サーバ１は、遊技場ａ並びに遊技場ｂのルータ１０に接続し、各々の送信用コンピュータ７に対してＰ機の遊技データを要求する。該要求に基づき各々の送信用コンピュータ７は、ホールコンピュータ１１よりＰ機データを入手して配信サーバ１に送信する。これに基づき配信サーバ１では、受信した遊技場ａ並びに遊技場ｂのＰ機データを前記データ変換プログラムにより合成して全店Ｐ機データページ（図１５参照）を生成し、該全店Ｐ機データページを利用者の情報端末に配信するようになっており、これにより遊技場ａ並びに遊技場ｂのＰ機の遊技データが利用者に提供されるようになっている。
【００５０】
また、利用者が、前記データ選択ページ２において「Ｓ機データ」を選択入力した場合において配信サーバ１は、遊技場ａ並びに遊技場ｂのルータ１０に接続し、各々の送信用コンピュータ７に対してＳ機の遊技データを要求する。該要求に基づき各々の送信用コンピュータ７は、ホールコンピュータ１１よりＳ機データを入手して配信サーバ１に送信する。これに基づき配信サーバ１では、受信した遊技場ａ並びに遊技場ｂのＳ機データを前記データ変換プログラムにより合成して全店Ｓ機データページを生成し、該全店Ｐ機データページを利用者の情報端末に配信するようになっており、これにより遊技場ａ並びに遊技場ｂのＳ機の遊技データが利用者に提供されるようになっている。
【００５１】
また、利用者が、前記データ選択ページ２において「Ｐ機売上」を選択入力した場合において配信サーバ１は、遊技場ａ並びに遊技場ｂのルータ１０に接続し、各々の送信用コンピュータ７に対してＰ機の売上データを要求する。該要求に基づき各々の送信用コンピュータ７は、ホールコンピュータ１１よりＰ機の売上データを入手して配信サーバ１に送信する。これに基づき配信サーバ１では、受信した遊技場ａ並びに遊技場ｂのＰ機の売上データを前記データ変換プログラムにより合成して全店Ｐ機売上ページを生成し、該全店Ｐ機売上ページを利用者の情報端末に配信するようになっており、これにより遊技場ａ並びに遊技場ｂのＰ機の売上データが利用者に提供されるようになっている。
【００５２】
また、利用者が、前記データ選択ページ２において「Ｓ機売上」を選択入力した場合において配信サーバ１は、遊技場ａ並びに遊技場ｂのルータ１０に接続し、各々の送信用コンピュータ７に対してＳ機の売上データを要求する。該要求に基づき各々の送信用コンピュータ７は、ホールコンピュータ１１よりＳ機の売上データを入手して配信サーバ１に送信する。これに基づき配信サーバ１では、受信した遊技場ａ並びに遊技場ｂのＳ機の売上データを前記データ変換プログラムにより合成して全店Ｓ機売上ページを生成し、該全店Ｓ機売上ページを利用者の情報端末に配信するようになっており、これにより遊技場ａ並びに遊技場ｂのＳ機の売上データが利用者に提供されるようになっている。
【００５３】
また、利用者が、前記データ選択ページ２において「全体売上」を選択入力した場合において配信サーバ１は、遊技場ａ並びに遊技場ｂのルータ１０に接続し、各々の送信用コンピュータ７に対してＰ機・Ｓ機を含む全体売上データを要求する。該要求に基づき各々の送信用コンピュータ７は、ホールコンピュータ１１よりＰ機・Ｓ機の全体売上データを入手して配信サーバ１に送信する。これに基づき配信サーバ１では、受信した遊技場ａ並びに遊技場ｂのＰ機・Ｓ機を含む全体売上データを前記データ変換プログラムにより合成して全店全体売上ページを生成し、該全店全体売上ページを利用者の情報端末に配信するようになっており、これにより遊技場ａ並びに遊技場ｂのＰ機・Ｓ機を含めた全体売上データが利用者に提供されるようになっている。
【００５４】
また、利用者が、前記データ選択ページ３−ａにおいて「管理データ」を選択入力した場合において配信サーバ１は、図１７に示すように、「台データ（遊技データ）」若しくは「売上データ」を選択可能なデータ選択ページ４−ａを配信するようになっており、このデータ選択ページ４−ａにおいて「台データ」が選択入力されると、入手を希望する遊技データの種別を選択可能なデータ選択ページ５−ａを配信するようになっている。このデータ選択ページ５−ａにおいて「タイプ別情報」が選択されると、更に「Ｐ機台情報」若しくは「Ｓ機台情報」を選択可能なデータ選択ページ６−ａを配信するようになっている。
【００５５】
利用者が、このデータ選択ページ６−ａにおいて「Ｐ機台情報」を選択入力した場合において配信サーバ１は、遊技場ａのルータ１０に接続し、遊技場ａの送信用コンピュータ７に対してＰ機のタイプ別情報を要求する。該要求に基づき前記送信用コンピュータ７は、Ｐ機のタイプ別情報をホールコンピュータ１１より入手して配信サーバ１に送信する。これに基づき配信サーバ１では、受信したＰ機のタイプ別情報に基づくタイプ別情報ページを生成し、該タイプ別情報ページを利用者の情報端末に配信するようになっており、これにより遊技場ａのＰ機のタイプ別情報が利用者に提供されるようになっている。
【００５６】
また、利用者が、前記データ選択ページ６−ａにおいて「Ｓ機台情報」を選択入力した場合において配信サーバ１は、遊技場ａのルータ１０に接続し、遊技場ａの送信用コンピュータ７に対してＳ機のタイプ別情報を要求する。該要求に基づき前記送信用コンピュータ７は、Ｓ機のタイプ別情報をホールコンピュータ１１より入手して配信サーバ１に送信する。これに基づき配信サーバ１では、受信したＳ機のタイプ別情報に基づくタイプ別情報ページを生成し、該タイプ別情報ページを利用者の情報端末に配信するようになっており、これにより遊技場ａのＳ機のタイプ別情報が利用者に提供されるようになっている。
【００５７】
また、利用者が、前記データ選択ページ５−ａにおいて「台情報」を選択入力した場合において配信サーバ１は、遊技場ａのルータ１０に接続し、遊技場ａの送信用コンピュータ７に対してＰ機・Ｓ機双方の台情報を要求する。該要求に基づき前記送信用コンピュータ７は、ホールコンピュータ１１よりＰ機・Ｓ機双方の台情報を入手して配信サーバ１に送信する。これに基づき配信サーバ１では、受信したＰ機・Ｓ機双方の台情報に基づく台情報ページを生成し、該台情報ページを利用者の情報端末に配信するようになっており、これにより遊技場ａにおけるＰ機・Ｓ機双方の台情報が利用者に提供されるようになっている。
【００５８】
また、利用者が、前記データ選択ページ５−ａにおいて「機種別情報」を選択入力した場合において配信サーバ１は、図１７に示すように、入手する遊技データの機種を選択可能なデータ選択ページ７−ａを配信するようになっている。
【００５９】
利用者が、このデータ選択ページ７−ａにおいて所望するＰ機またはＳ機の機種名、例えば「ＣＲＦ．ＸＸＸ」を選択入力した場合において配信サーバ１は、遊技場ａのルータ１０に接続し、遊技場ａの送信用コンピュータ７に対して「ＣＲＦ．ＸＸＸ」の機種別情報を要求する。該要求に基づき前記送信用コンピュータ７は、ホールコンピュータ１１から「ＣＲＦ．ＸＸＸ」の機種別情報を入手して配信サーバ１に送信する。これに基づき配信サーバ１では、受信した「ＣＲＦ．ＸＸＸ」の機種別情報に基づく機種別情報ページを生成し、該機種別情報ページを利用者の情報端末に配信するようになっており、これにより遊技場ａの「ＣＲＦ．ＸＸＸ」の機種別情報が利用者に提供されるようになっている。
【００６０】
また、これら利用者に配信される機種別情報ページには、図１８に示すように、該配信された機種別情報、例えば「ＣＲＦ．ＸＸＸ」の機種別情報に対応する画像データを入手するための「対応画像データ」選択ボタンが設けられており、該「対応画像データ」ボタンが選択入力された場合に配信サーバ１は、遊技場ａのルータ１０に接続し、遊技場ａの送信用コンピュータ７に対し「ＣＲＦ．ＸＸＸ」の機種別情報に対応する画像データを要求する。該要求に基づき前記送信用コンピュータ７は、対応ＤＢより「ＣＲＦ．ＸＸＸ」に対応する監視領域を抽出し、該抽出した監視領域の画像データをビデオコントローラ９から入手して配信サーバ１に送信する。これに基づき配信サーバ１では、受信した画像データに基づく対応画像ページを生成し、該対応画像ページを利用者の情報端末に配信するようになっており、これにより遊技場ａの「ＣＲＦ．ＸＸＸ」の機種別情報に対応する画像データが利用者に提供されるようになっている。
【００６１】
また、利用者が、前記データ選択ページ５−ａにおいて「個別情報」を選択入力した場合において配信サーバ１は、図１７に示すように、遊技機の台番号を選択可能な選択ページ８−ａ並びにそれに対応する各台選択ページを配信するようになっている。
【００６２】
利用者がこれら各台選択ページにて所望するＰ機若しくはＳ機の台番号、例えば「０００１」を選択入力した場合において配信サーバ１は、遊技場ａのルータ１０に接続し、遊技場ａの送信用コンピュータ７に対して０００１番の個別情報を要求する。該要求に基づき前記送信用コンピュータ７は、ホールコンピュータ１１より０００１番の個別情報を入手して配信サーバ１に送信する。これに基づき配信サーバ１では、受信した０００１番の個別情報に基づく個別情報ページを生成し、該個別情報ページを利用者の情報端末に配信するようになっており、これにより遊技場ａの０００１番の個別情報が利用者に提供されるようになっている。
【００６３】
また、これら利用者に配信される個別情報ページには、図１９に示すように、該配信されたＰ機若しくはＳ機の個別情報、例えば０００１番の個別情報に対応する画像データを入手するための「対応画像データ」選択ボタンが設けられており、該「対応画像データ」ボタンが選択入力された場合に配信サーバ１は、遊技場ａのルータ１０に接続し、遊技場ａの送信用コンピュータ７に対して０００１番の機種別情報に対応する画像データを要求する。該要求に基づき前記送信用コンピュータ７は、対応ＤＢより０００１番に対応する監視領域を抽出し、該抽出した監視領域の画像データをビデオコントローラ９から入手して配信サーバ１に送信する。これに基づき配信サーバ１では、受信した画像データに基づく対応画像ページを生成し、該対応画像ページを利用者の情報端末に配信するようになっており、これにより遊技場ａの０００１番の個別情報に対応する画像データが利用者に提供されるようになっている。
【００６４】
このように携帯電話３ｃ等のポータブルタイプの情報端末に配信される機種別情報ページ並びに個別情報ページでは、これら配信された管理データに対応する画像データを入手可能な「対応画像データ」ボタンが設けられており、該「対応画像データ」ボタンを利用者が選択入力することで、該当する遊技島若しくは遊技機の画像データが入手され、利用者の情報端末に配信されるようになっており、利用者は、確認した管理データに対応する画像データを、迅速かつ簡便に入手して確認することができるようになっている。
【００６５】
また、利用者が、前記データ選択ページ４−ａにおいて「売上データ」を選択入力した場合において配信サーバ１は、図２０に示すように、入手する売上データの種別を選択可能なデータ選択ページ９−ａを配信するようになっている。
【００６６】
利用者が、このデータ選択ページ９−ａにおいて「売上一覧」を選択入力した場合において配信サーバ１は、遊技場ａのルータ１０に接続し、遊技場ａの送信用コンピュータ７に対して売上一覧を要求する。該要求に基づき前記送信用コンピュータ７は、ホールコンピュータ１１より売上一覧を入手して配信サーバ１に送信する。これに基づき配信サーバ１では、受信した売上一覧に基づく売上一覧ページを生成し、該売上一覧ページを利用者の情報端末に配信するようになっており、これにより遊技場ａの売上一覧が利用者に提供されるようになっている。
【００６７】
また、利用者が、前記データ選択ページ９−ａにおいて「タイプ別売上」を選択入力した場合において配信サーバ１は、図２０に示すように、入手する売上データのタイプ（Ｐ機またはＳ機）を選択可能なデータ選択ページ１０−ａを配信するようになっている。
【００６８】
利用者が、このデータ選択ページ１０−ａにおいて「Ｐ機」を選択入力した場合において配信サーバ１は、遊技場ａのルータ１０に接続し、遊技場ａの送信用コンピュータ７に対してＰ機のタイプ別売上を要求する。該要求に基づき前記送信用コンピュータ７は、ホールコンピュータ１１よりＰ機のタイプ別売上を入手して配信サーバ１に送信する。これに基づき配信サーバ１では、受信したＰ機のタイプ別売上に基づくタイプ別売上ページを生成し、該タイプ別売上ページを利用者の情報端末に配信するようになっており、これにより遊技場ａのＰ機のタイプ別売上が利用者に提供されるようになっている。
【００６９】
また、利用者が、このデータ選択ページ１０−ａにおいて「Ｓ機」を選択入力した場合において配信サーバ１は、遊技場ａのルータ１０に接続し、遊技場ａの送信用コンピュータ７に対してＳ機のタイプ別売上を要求する。該要求に基づき前記送信用コンピュータ７は、ホールコンピュータ１１よりＳ機のタイプ別売上を入手して配信サーバ１に送信する。これに基づき配信サーバ１では、受信したＳ機のタイプ別売上に基づくタイプ別売上ページを生成し、該タイプ別売上ページを利用者の情報端末に配信するようになっており、これにより遊技場ａのＳ機のタイプ別売上が利用者に提供されるようになっている。
【００７０】
また、利用者が、前記データ選択ページ９−ａにおいて「売上日報」を選択入力した場合において配信サーバ１は、遊技場ａのルータ１０に接続し、遊技場ａの送信用コンピュータ７に対して売上日報を要求する。該要求に基づき前記送信用コンピュータ７は、ホールコンピュータ１１より売上日報を入手して配信サーバ１に送信する。これに基づき配信サーバ１では、受信した売上日報に基づく売上日報ページを生成し、該売上日報ページを利用者の情報端末に配信するようになっており、これにより遊技場ａの売上日報が利用者に提供されるようになっている。
【００７１】
また、利用者が、前記データ選択ページ３−ａにおいて「画像データ」を選択入力した場合において配信サーバ１は、図２１に示すように、入手する画像データの遊技島別の入手を希望する撮像領域並びに過去に配信された画像データを選択可能なデータ選択ページ１１−ａを配信するようになっており、このデータ選択ページにおいて、更に特定の遊技島、例えば「１番島」が入力されると、「１番島全体」若しくは１番島に設置された遊技機の台番号を選択可能なデータ選択ページ１２−ａを配信するようになっている。
【００７２】
利用者が、このデータ選択ページ１２−ａにおいて「１番島全体」を選択入力した場合に配信サーバ１は、遊技場ａのルータ１０に接続し、遊技場ａの送信用コンピュータ７に対して１番島の画像データを要求する。該要求に基づき前記送信用コンピュータ７は、ビデオコントローラ９より１番島の画像データを入手して配信サーバ１に送信する。これに基づき配信サーバ１では、受信した画像データに基づく選択画像ページを生成し、該選択画像ページを利用者の情報端末に配信するようになっており、これにより遊技場ａにおける１番島の画像が利用者に提供されるようになっている。
【００７３】
また、利用者が、前記データ選択ページ１２−ａにおいて「１番台」を選択入力した場合に配信サーバ１は、遊技場ａのルータ１０に接続し、遊技場ａの送信用コンピュータ７に対して１番台の画像データを要求する。該要求に基づき前記送信用コンピュータ７は、ビデオコントローラ９より１番台の画像データを入手して配信サーバ１に送信する。これに基づき配信サーバ１では、受信した画像データに基づく選択画像ページを生成し、該選択画像ページを利用者の情報端末に配信するようになっており、これにより遊技場ａにおける１番台の画像が利用者に提供されるようになっている。
【００７４】
また、これら利用者に配信される遊技島若しくは各遊技機の選択画像ページには、図２１に示すように、該配信された選択画像ページ、例えば１番島全体の画像データに対応する遊技データを入手するための「対応管理データ」選択ボタンが設けられており、該「対応管理データ」ボタンが選択入力された場合に配信サーバ１は、遊技場ａのルータ１０に接続し、遊技場ａの送信用コンピュータ７に対して１番島の画像データに対応する遊技データを要求する。該要求に基づき前記送信用コンピュータ７は、対応ＤＢより１番島に対応する機種を抽出し、該抽出した機種の機種別情報をホールコンピュータ１１から入手して配信サーバ１に送信する。これに基づき配信サーバ１では、受信した機種別情報に基づく対応管理データページを生成し、該対応管理データページを利用者の情報端末に配信するようになっており、これにより遊技場ａの１番島に対応する機種別情報が利用者に提供されるようになっている。
【００７５】
このように携帯電話３ｃ等のポータブルタイプの情報端末に配信される選択画像ページでは、これら配信された画像データに対応する管理データを入手可能な「対応管理データ」ボタンが設けられており、該「対応管理データ」ボタンを利用者が選択入力することで、該当する機種若しくは遊技機の管理データが入手され、利用者の情報端末に配信されるようになっており、利用者は、確認した画像データに対応する管理データを、迅速かつ簡便に入手して確認することができるようになっている。
【００７６】
また、前記ユーザコード「１１００１」の利用者が、情報端末として比較的処理能力の高いパーソナルコンピュータ３ａを利用してログインした場合に、配信サーバ１では、図１３並びに図２２に示すように、メニューＤＢにおいてＰＣに該当する先頭のデータ選択ページ１０１を配信する。この配信されたデータ選択ページ１０１においては、全店の「Ｐ機データ」「Ｓ機データ」「Ｐ機売上」「Ｓ機売上」「全体売上」と、各店舗（遊技場ａまたは遊技場ｂ）の「台データ（遊技データ）」「売上データ」と、が選択入力可能とされ、該データ選択ページ１０１における全店のいずれかのデータが選択入力されると、該当するデータを前述と同様に各遊技場の送信用コンピュータ７より入手し、該入手したデータに基づくデータ表示ページを生成し、利用者の情報端末に配信するようになっている。
【００７７】
また、利用者が、前記データ選択ページ１０１において遊技場ａの「台データ」を選択入力した場合に配信サーバ１は、図２３に示すように、台情報、Ｐ機若しくはＳ機のタイプ別情報、機種別情報、入手を希望する遊技機の個別情報、過去に配信を受けた画像データのいずれかの選択入力が可能なデータ選択ページ１０２ａを配信するようになっている。
【００７８】
利用者が、このデータ選択ページ１０２ａにおいて台情報または、Ｐ機またはＳ機のタイプ別情報を選択入力すると、該当するデータを前述と同様に各遊技場の送信用コンピュータ７より入手し、該入手したデータに基づくデータ表示ページを生成し、利用者の情報端末に配信するようになっている。
【００７９】
また、利用者が、前記データ選択ページ１０２ａにおいて所望の機種別情報、例えば「ＣＲＦ．ＸＸＸ」の機種別情報を選択入力した場合に配信サーバ１は、遊技場ａのルータ１０に接続し、遊技場ａの送信用コンピュータ７に対して「ＣＲＦ．ＸＸＸ」の機種別情報と画像データとを要求する。該要求に基づき前記送信用コンピュータ７は、対応ＤＢより「ＣＲＦ．ＸＸＸ」に対応する監視領域を抽出し、該抽出した監視領域の画像データをビデオコントローラ９から入手するとともに、ホールコンピュータ１１より「ＣＲＦ．ＸＸＸ」の機種別情報を入手して配信サーバ１に送信する。これに基づき配信サーバ１では、図２４に示すように、受信した画像データ並びに「ＣＲＦ．ＸＸＸ」の機種別情報とが表示される機種別情報ページを生成し、該機種別情報ページを利用者の情報端末に配信するようになっており、これにより遊技場ａにおける「ＣＲＦ．ＸＸＸ」の機種別情報並びに該当する画像データが利用者に対して同時に提供されるようになっている。
【００８０】
また、利用者が、前記データ選択ページ１０２ａにおいて入手を希望する遊技機の個別情報、例えば「１番台」を選択入力した場合に配信サーバ１は、遊技場ａのルータ１０に接続し、遊技場ａの送信用コンピュータ７に対して１番台の個別情報と画像データとを要求する。該要求に基づき前記送信用コンピュータ７は、対応ＤＢより１番台に対応する監視領域を抽出し、該抽出した監視領域の画像データをビデオコントローラ９から入手するとともに、ホールコンピュータ１１より１番台の個別情報を入手して配信サーバ１に送信する。これに基づき配信サーバ１では、図２５に示すように、受信した画像データ並びに１番台の個別情報とが表示される個別情報ページを生成し、該個別情報ページを利用者の情報端末に配信するようになっており、これにより遊技場ａにおける１番台の個別情報並びに該当する遊技機の画像データが利用者に対して同時に提供されるようになっている。
【００８１】
また、これら画像データが含まれる機種別情報ページ並びに個別情報ページが、前記パーソナルコンピュータ３ａに配信されている場合において配信サーバ１では、送信用コンピュータ７に対して同一領域の画像データの送信要求を逐次実施するようになっている。これにより送信用コンピュータ７は同一領域の最新画像データをビデオコントローラ９より入手して配信サーバ１に送信するようになっている。また配信サーバ１では、これら受信した最新画像データを利用者の情報端末であるパーソナルコンピュータ３ａに送信するようになっており、パーソナルコンピュータ３ａにおいては、前記機種別情報ページ並びに個別情報ページに表示された画像データが前記配信サーバ１より受信した最新画像データに逐次更新されることで、ほぼリアルタイムな動画データの配信が受けられるようになっている。
【００８２】
このようにパーソナルコンピュータ３ａ等の比較的処理能力の高い情報端末に配信される機種別情報ページ並びに個別情報ページでは、該当する管理データと画像データとが同一のページにて配信されるようになっており、利用者は対応する管理データと画像データとの双方のデータを同時に確認することができるようになっている。
【００８３】
また、これらパーソナルコンピュータ３ａ等の比較的処理能力の高い情報端末に配信される機種別情報ページ並びに個別情報ページでは、該当する画像データがほぼリアルタイムな動画データとして配信されるようになっており、利用者は配信される画像に基づいてより詳細な状況把握ができるようになっている。
【００８４】
尚、本発明においては、これら機種別情報ページ並びに個別情報ページにおいては、ほぼリアルタイムな動画データが配信されるようになっているが、本発明はこれに限定されるものではなく、例えば、該当する撮像領域が所定期間録画された録画データを配信し、該配信された録画データが利用者の利用する情報端末にて再生されるようになっていても良い。
【００８５】
また、利用者が、前記データ選択ページ１０１において遊技場ａの売上データを選択入力した場合に配信サーバ１は、図２６に示すように、売上日報、売上一覧、Ｐ機若しくはＳ機のタイプ別売上のいずれかの選択入力が可能なデータ選択ページ１０３ａを配信するようになっている。
【００８６】
利用者が、このデータ選択ページ１０３ａにおいて売上日報、売上一覧、Ｐ機若しくはＳ機のタイプ別売上を選択入力すると、該当するデータを前述と同様に各遊技場の送信用コンピュータ７より入手して、該入手したデータに基づくデータ表示ページを生成し、利用者の情報端末に配信するようになっている。
【００８７】
また、本実施例の配信サーバ１においては、図１２（ｂ）並びに図１４に示すように、前記データ表示ページを利用者の情報端末に配信する毎、すなわち遊技データや売上データ等の管理データ並びに画像データを配信する毎に、配信履歴ＤＢの該当するユーザコードに対応して、配信した日付と、画像データの配信がなされた場合にはその画像データと、を登録するようになっている。
【００８８】
また、利用者は、図２１に示すデータ選択ページ１１−ａや、図２３に示すデータ選択ページ１０２ａにおいて、過去に配信された画像データを選択入力することで、配信サーバ１は、該選択入力された画像データを配信履歴ＤＢより抽出し、該抽出した画像データに基づき図２１や図２７に示す再配信画像ページを生成し、該再配信画像ページを利用者の情報端末に配信するようになっており、利用者は過去に配信を受けた画像データの再配信を受けられるようになっている。
【００８９】
このように本実施例では、過去に配信を受けた画像データの再配信を受けられるようになっており、新たな画像データの配信を受けて画像データが更新されても、更新以前の画像データを再度確認したい場合には、更新以前の画像データの再配信を受けて再度更新以前の画像データを確認することができるようになっている。
【００９０】
尚、本実施例では、配信履歴ＤＢにおいて遊技場管理情報を配信した日付と、その際配信がなされた画像データと、が登録されるようになっているが、本発明はこれに限定されるものではなく、該配信履歴ＤＢに、これら配信した日付やその際配信がなされた画像データに加えて、配信された時間や配信された遊技場管理情報の種別、利用者の使用した端末種別等を登録するようにしても良い。更には、配信履歴ＤＢに、配信された画像データに加えて配信された管理データを登録することで、利用者が過去に配信を受けた管理データ並びに画像データを確認できるようにしても良い。
【００９１】
また、本実施例の配信サーバ１では、図２８に示すように、所定期間（例えば１週間）毎に、前記配信履歴ＤＢに登録された各日付毎の配信回数を集計し、該集計した各日付毎の配信回数を配信履歴メールとして、利用者ＤＢより入手した電子メールアドレスに送信するようになっており、利用者はこれら配信履歴メールの配信回数と、自分が実際に遊技場管理情報の配信を受けた回数とを比較することで、第三者による不正な情報の入手があったか否かを確認することができ、セキュリティ性を向上させることができるようになっている。
【００９２】
また、本実施例では、図２９（ａ）に示すように、遊技場に設置されたセンサ８、例えば赤外線センサ８ｂにより異常が感知され、ビデオコントローラ９に異常発生の旨の所定信号が出力されると、該ビデオコントローラ９は、異常が発生した遊技場名と、異常感知した赤外線センサ８ｂに該当するビデオカメラ６から出力された画像データと、前記異常検出がなされたセンサ８の種別と検出領域と、からなる異常検出情報を送信用コンピュータ７に出力するようになっており、これに基づき送信用コンピュータ７は出力を受けた異常検出情報を配信サーバ１のＩＰアドレスへ送信する。この配信サーバ１のＩＰアドレスへの送信を検知したルータ１０は、自動的に前記配信サーバ１の登録電話番号へ架電し、前記異常検出情報を配信サーバ１に送信する。これに基づき配信サーバ１では、受信した異常検出情報が含まれる異常報知メールを該当する利用者の電子メールアドレスに送信し、利用者に対し異常が発生したことを報知するようになっている。
【００９３】
また、本実施例では、図２９（ｂ）に示すように、前記ホールコンピュータ１１において遊技機の異常（セーフ異常や不正電波検出等）が判定された場合に、該ホールコンピュータ１１は、異常が発生した遊技場名と、異常と判定された台番号と、タイプ（Ｐ機またはＳ機）と、異常の種別と、異常が発生した時間帯と、からなる異常検出情報を送信用コンピュータ７に出力するようになっており、これに基づき送信用コンピュータ７は出力を受けた異常検出情報を配信サーバ１のＩＰアドレスへ送信する。この配信サーバ１のＩＰアドレスへの送信を検知したルータ１０は、自動的に前記配信サーバ１の登録電話番号へ架電し、前記異常検出情報を配信サーバ１に送信する。これに基づき配信サーバ１では、受信した異常検出情報が含まれる異常報知メールを該当する利用者の電子メールアドレスに送信し、利用者に対し異常が発生したことを報知するようになっている。
【００９４】
このように本実施例では、ビデオコントローラ９に接続された各種センサ８にて異常検出がなされた場合やホールコンピュータ１１にて異常が判定された場合において、これらビデオコントローラ９やホールコンピュータ１１から出力された異常検出情報が送信用コンピュータ７により配信サーバ１に送信され、これに基づき配信サーバ１が、該当する利用者の電子メールアドレスに異常報知メールを送信するようになっており、利用者が、異常の発生並びにその状態を迅速に知ることができるようになっている。
【００９５】
以上に説明したように、本実施例における遊技場管理情報の提供方法を適用することで、個々の遊技場に大がかりなコンピュータシステム等を導入することなく、同一の配信サーバ１にアクセスして該当する遊技場の管理データや画像データの配信を受けられるようになり、前記配信サーバ１の稼働率を向上できるようになるため、各遊技場の経営者や関係者等の利用者が簡便にかつ安価にて管理データや画像データ等の遊技場管理情報を入手することが可能となるばかりか、これら遊技場の管理データ並びに画像データの入手のために、個別のサーバコンピュータにアクセスする必要がなく、利用者の利便性を向上することができる。
【００９６】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００９７】
例えば、前記実施例では、配信サーバ１から利用者の情報端末に配信されるデータ選択ページやデータ表示ページが、データ変換プログラムにて利用者の情報端末に合わせたファイル形式並びに表示仕様に変換された後、配信されるようになっているが、本発明はこれに限定されるものではなく、同一のファイルフォーマットにて配信されるようになっていても良い。
【００９８】
また、前記実施例では、利用者が複数の遊技場の関係者である場合には、データ選択ページにおいて遊技場管理情報の配信を希望する遊技場を選択可能とされ、容易に希望する遊技場の遊技場管理情報の配信を受けることが可能となり、利用者の利便性を向上できることから好ましいが、本発明はこれに限定されるものではなく、１つのユーザＩＤに対して１つの遊技場における遊技場管理情報の配信を実施できる配信サーバであっても良い。
【００９９】
また、前記実施例では、利用者のアクセスレベルに応じて入手できる遊技場管理情報の範囲が制限されるようになっているが、本発明はこれに限定されるものではなく、これらの制限を設けなくても良い。
【０１００】
また、前記実施例では、利用者に配信される管理データ並びに画像データを前述した項目並びに領域としているが、本発明はこれらに限定されるものではなく、これら以外の管理データ若しくは画像データ、例えば遊技場に設置された金庫１６や玉計数機１５ａ、メダル計数機１５ｂ、販売機１４等の関連機器に関する管理データ若しくはこれら関連機器の状況を把握可能な画像データ、遊技場の入客状況に関する管理データや入客状況を把握可能な画像データ、景品ＰＯＳ端末や景品交換所、駐車場等に関する管理データやこれらの状況を把握可能な画像データ等が配信されるようになっていても良い。
【０１０１】
また、前記実施例では、ポータブルタイプの情報端末においては、管理データ並びに画像データの配信を個別のページにて受けられるようになっており、パーソナルコンピュータ３ａにおいては、管理データ並びに画像データの配信を同一のページにて受けられるようになっているが、本発明はこれに限定されるものではなく、これら情報端末のタイプに関係なく、管理データ並びに画像データを個別のページにて配信する構成としたものや、管理データ並びに画像データを同一のページにて配信する構成としたものであっても良い。
【０１０２】
また、前記実施例では、ポータブルタイプの情報端末においては、画像データの配信を静止画にて受けられるようになっており、パーソナルコンピュータ３ａにおいては、画像データの配信を動画（静止画の連続データ）にて受けられるようになっているが、本発明はこれに限定されるものではなく、これら情報端末のタイプに関係なく、画像データを静止画にて配信する構成としたものや、画像データを動画にて配信する構成としたものであっても良い。
【０１０３】
また、前記実施例においてポータブルタイプの情報端末に配信された機種別情報ページ並びに個別情報ページでは、対応する画像データを入手可能な「対応画像データ」ボタンが設けられており、該「対応画像データ」ボタンを入力することで、配信された管理データに対応する画像データの配信が受けられるようになっているが、本発明はこれに限定されるものではなく、これら対応画像データの入手ができない構成とされていても良い。
【０１０４】
また、前記実施例においてポータブルタイプの情報端末に配信された選択画像ページでは、対応する管理データを入手可能な「対応管理データ」ボタンが設けられており、該「対応管理データ」ボタンを入力することで、配信された画像データに対応する管理データの配信が受けられるようになっているが、本発明はこれに限定されるものではなく、これら対応管理データの入手ができない構成とされていても良い。
【０１０５】
また、前記実施例では、利用者に配信された管理データの配信履歴が登録され、これら配信履歴が定期的に利用者の電子メールアドレスに送信されるようになっているが、本発明はこれに限定されるものではなく、これら配信履歴を利用者の配信サーバ１へのアクセスにより入手できるようにしても良く、更には、これら配信履歴メールの送信機能が付与されていない構成であっても良い。
【０１０６】
また、前記実施例では、ホールコンピュータ１１にて異常が判定された場合やビデオコントローラ９において異常が検出された場合に、送信用コンピュータ７に対して異常検出情報が出力され、該異常検出情報が配信サーバ１に対して送信されるようになっており、これに基づき配信サーバ１が利用者に対して前記異常検出情報が含まれる異常報知メールを送信し、利用者にこれら遊技場にて発生した異常が報知されるようになっているが、本発明はこれに限定されるものではなく、少なくとも利用者の情報端末から、該当する管理データ若しくは画像データのどちらか一方を含む遊技場管理情報を入手可能な構成とされていれば良く、これら異常検出時のメール送信機能が付与されていない構成であっても良い。
【０１０７】
また、前記実施例では、ビデオコントローラ９に接続された各種センサ８にて異常が検出された場合には、異常が発生した遊技場名と、異常検出領域の画像データと、異常検出の種別と検出領域と、からなる異常検出情報が異常報知メールとして利用者に配信されるようになっており、ホールコンピュータ１１にて異常が判定された場合には、異常が発生した遊技場名と、異常と判定された台番号と、タイプ（Ｐ機またはＳ機）と、異常の種別と、異常が発生した時間帯と、からなる異常検出情報が異常報知メールとして利用者に配信されるようになっているが、本発明はこれに限定されるものではなく、これら異常検出情報に加えて該当する遊技機の個別情報や機種別情報等の管理データ若しくは画像データにアクセス可能なＵＲＬが含まれる異常報知メールを送信するようにしても良く、更にはこれら該当する管理データ自体が含まれる異常報知メールを利用者に送信するようにしても良い。
【０１０８】
また、前記実施例では、遊技場における異常検出を熱・煙検出センサ８ａや赤外線センサ８ｂ、ホールコンピュータ１１における台管理ＤＢの登録状況に基づき実施しているが、本発明はこれに限定されるものではなく、その他の方法にて異常検出を実施するようにしても良く、例えば、各ビデオカメラ６から出力される所定領域の画像と予め登録された前記所定領域の正常画像とを比較し、これら画像の比較が所定時間以上一致しない場合に当該領域を異常発生と判定するモーションディテクト機能をビデオコントローラ９に設け、この機能に基づき異常が検出されるようになっていても良い。更には、閉店後の遊技機の扉の開閉を検出する扉開閉センサや、ガラス扉の破壊を検出するセンサ等で異常検出を実施するようにしても良い。
【０１０９】
また、前記実施例では、配信サーバ１と各遊技場のルータ１０とが通信回線網４を介して接続可能とされ、配信サーバ１と利用者の情報端末とがインターネット網５を介して接続可能とされているが、本発明はこれに限定されるものではなく、これら配信サーバ１と各遊技場のルータ１０並びに利用者の情報端末とがそれぞれ通信回線網４若しくはインターネット網５にて接続可能とされていても良い。更には、これら配信サーバ１とルータ１０とを専用線にて常時接続するようにしても良い。
【０１１０】
また、前記実施例のルータ１０においては、配信サーバ１との接続処理を、配信サーバ１からの架電に基づきコールＩＤを照合する方法と、配信サーバ１からの架電に基づき、該配信サーバ１に対してコールバックする方法との２通りの方法が適用されているが、本発明はこれに限定されるものではなく、これら以外の方法で接続処理を実施するようにしても良い。また、これらルータ１０と配信サーバ１とが専用線にて常時接続されている場合には、これら接続処理を実施せずとも良い。
【０１１１】
また、前記実施例では利用者が配信サーバ１にアクセスするための情報端末としてパーソナルコンピュータ３ａやＰＤＡ３ｂ、携帯電話３ｃを使用しており、特に普段携行する携帯電話３ｃにて利用できることは、利用者の利便性の観点から好ましいが、本発明はこれに限定されるものではなく、少なくとも配信サーバ１にアクセス可能な情報端末であれば良い。
【０１１２】
また、前記実施例では利用者識別情報としてユーザＩＤ及びパスワードを用いたが、本発明はこれに限定されるものではなく、携帯電話の電話番号や電子メールアドレス等を利用者識別情報として利用者データベースに登録し、利用者の照合に使用しても良い。
【０１１３】
また、前記実施例では、遊技場に設置される遊技機のタイプをパチンコ機（Ｐ機）とスロットマシン（Ｓ機）としているが、本発明はこれに限定されるものではなく、パチンコ機を第１種パチンコ機、第２種パチンコ機、第３種パチンコ機、スロットマシンをＡタイプ、Ｂタイプ、Ｃタイプ等のタイプに分類可能に登録し、これらの分類別に管理データの入手ができるようになっていても良い。
【０１１４】
また、前記実施例では、遊技場に設置される遊技機をパチンコ機（Ｐ機）１２ａ並びにスロットマシン（Ｓ機）１２ｂとしているが、本発明はこれに限定されるものではなく、本発明の遊技場に設置される遊技機は、これらパチンコ機１２ａやスロットマシン１２ｂのみならず、パチンコ玉を用いて遊技を行うパチロット、パチンコ玉やコインが外部に排出されることなく遊技可能な封入式のパチンコ機や完全クレジット式のスロットマシンやパチロット、さらにはこれら遊技媒体を用いずにデータ等により遊技可能な遊技機や、遊技盤やパチンコ玉が画像にて表示される画像式のパチンコ機や、リールが画像にて表示される画像式のスロットマシンやパチロットであっても良く、これら遊技機が限定されるものではない。
【０１１５】
【発明の効果】
本発明は次の効果を奏する。
【０１１６】
（ａ）請求項１の発明によれば、個々の遊技場に大がかりなコンピュータシステム等を導入することなく、同一の前記サーバコンピュータにアクセスして該当する遊技場の少なくとも監視画像の配信を受けられるようになり、これらサーバコンピュータの稼働率を向上できるようになるため、各遊技場の経営者や関係者等の利用者が簡便にかつ安価にて遊技場管理情報を入手することが可能となるばかりか、これら遊技場の遊技場管理情報の入手のために、個別のサーバコンピュータにアクセスする必要がなく、利用者の利便性を向上することができる。また、アクセス利用者は、自分に配信された遊技場管理情報の配信履歴と前記履歴配信ステップにて配信された配信履歴とを比較することにより、不正な情報入手があったか否かを確認できる。
【０１１７】
（ｂ）請求項２の発明によれば、アクセス利用者が例えば複数の遊技場の経営者や関係者である場合には、同一のサーバコンピュータにアクセスするのみで、該当する遊技場の中から遊技場管理情報の入手を希望する遊技場を容易に選択して、所望する遊技場の管理情報を入手することができ、利用者の利便性を向上できる。
【０１２１】
（ｃ）請求項３の発明によれば、新たな監視画像情報の配信を受けて監視画像が更新されても、例えば更新以前の監視画像を再度確認したい場合には、更新以前の監視画像の再配信を受けて再度更新以前の監視画像を確認することができる。
【０１２２】
（ｄ）請求項４の発明によれば、利用者が異なる情報端末、例えば異なる通信会社の携帯電話或いは同一の通信会社であっても機種が異なる場合等であっても、個々の機種毎にサーバコンピュータを設ける必要がないばかりか、同一の利用者が異なる機種、例えば携帯電話やパソコン等のように複数の機種の情報端末を所有する場合においては、携帯電話は携帯電話に応じたファイル形式並びに表示仕様に、パソコンではパソコンに応じたファイル形式並びに表示仕様に管理情報並びに監視画像が自動的に変換されて配信されるようになるため、アクセスに使用している情報端末の種別等を一々入力したり変更する必要等がなく、利用者の利便性を向上できる。
【０１２３】
（ｅ）請求項５の発明によれば、アクセス利用者は、異常時遊技場管理情報を入手することで、該異常状態の発生を迅速に知ることができる。
【０１２５】
（ｆ）請求項６の発明によれば、監視画像を複数の連続した監視画像或いは動画映像とすることで、監視画像によるより詳細な状況把握が可能となる。
【図面の簡単な説明】
【図１】本発明の実施例における遊技場管理情報の提供方法が適用された遊技場管理情報提供システムの構成を示す図である。
【図２】本発明の実施例における遊技場の構成を示すブロック図である。
【図３】本発明の実施例における遊技場の構成を示すブロック図である。
【図４】本発明の実施例において遊技場に設置されたビデオコントローラの構成を示すブロック図である。
【図５】本発明の実施例において遊技場に設置されたホールコンピュータの構成を示すブロック図である。
【図６】本発明の実施例のホールコンピュータの台管理ＤＢにおけるＰ機データテーブルの登録状況を示す図であり、（ｂ）は、Ｓ機データテーブルの登録状況を示す図である。
【図７】本発明の実施例において遊技場に設置された送信用コンピュータの構成を示すブロック図である。
【図８】本発明の実施例における送信用コンピュータの対応ＤＢの登録状況を示す図である。
【図９】本発明の実施例において遊技場に設置されたルータの構成を示すブロック図である。
【図１０】（ａ）（ｂ）は、本発明の実施例において遊技場に設置されたルータが実施する接続処理の状況を示すフロー図である。
【図１１】本発明の実施例における配信サーバの構成を示すブロック図である。
【図１２】（ａ）は、本発明の実施例における配信サーバに記憶された利用者ＤＢの登録状況を示す図であり、（ｂ）は、配信履歴ＤＢの登録状況を示す図であり、（ｃ）は、端末ＤＢの登録状況を示す図である。
【図１３】本発明の実施例における配信サーバに記憶されたメニューＤＢの登録状況を示す図である。
【図１４】本発明の実施例における遊技場管理情報提供システムの利用状況並びに各部の処理状況を示すフロー図である。
【図１５】本発明の実施例において配信サーバがホールコンピュータより入手した遊技場管理情報のファイル形式並びに表示仕様の変換状況を示す図である。
【図１６】本発明の実施例においてポータブルタイプの情報端末に配信されるデータ選択ページの推移状況を示す図である。
【図１７】本発明の実施例においてポータブルタイプの情報端末に配信されるデータ選択ページの推移状況を示す図である。
【図１８】本発明の実施例においてポータブルタイプの情報端末に配信される機種別情報ページ並びに対応画像ページを示す図である。
【図１９】本発明の実施例においてポータブルタイプの情報端末に配信される個別情報ページ並びに対応画像ページを示す図である。
【図２０】本発明の実施例においてポータブルタイプの情報端末に配信されるデータ選択ページの推移状況を示す図である。
【図２１】本発明の実施例においてポータブルタイプの情報端末に配信されるデータ選択ページの推移状況並びに再配信画像ページ、選択画像ページ、対応管理データページを示す図である。
【図２２】本発明の実施例においてパーソナルコンピュータに配信されるデータ選択ページを示す図である。
【図２３】本発明の実施例においてパーソナルコンピュータに配信されるデータ選択ページを示す図である。
【図２４】本発明の実施例においてパーソナルコンピュータに配信される機種別情報ページを示す図である。
【図２５】本発明の実施例においてパーソナルコンピュータに配信される個別情報ページを示す図である。
【図２６】本発明の実施例においてパーソナルコンピュータに配信されるデータ選択ページを示す図である。
【図２７】本発明の実施例においてパーソナルコンピュータに配信される再配信画像ページを示す図である。
【図２８】本発明の実施例において配信サーバにおける配信履歴メールの送信状況を示す図である。
【図２９】（ａ）（ｂ）は、本発明の実施例において異常検出情報を受信した際の配信サーバにおける異常報知メールの送信状況を示す図である。
【符号の説明】
１          配信サーバ（サーバコンピュータ）
３ａ        パーソナルコンピュータ（情報端末）
３ｂ        ＰＤＡ（情報端末）
３ｃ        携帯電話（情報端末）
４          通信回線網（ＩＳＤＮ回線）
５          インターネット網
６          ビデオカメラ
７          送信用コンピュータ
８          センサ
８ａ        熱・煙検出センサ
８ｂ        赤外線センサ
９          ビデオコントローラ
１０        ルータ
１１        ホールコンピュータ
１２ａ      パチンコ機（Ｐ機）
１２ｂ      スロットマシン（Ｓ機）
１３ａ      カードユニット
１３ｂ      メダル貸機
１４        販売機
１５ａ      玉計数機
１５ｂ      メダル計数機
１６        金庫
２１        データバス
２２        ＣＰＵ
２３        ＲＡＭ
２４        時計装置（ＲＴＣ）
２５        記憶装置
２６        第１通信部
２７        第２通信部
３０        データバス
３１        ＣＰＵ
３２        ＲＡＭ
３３        時計装置（ＲＴＣ）
３４        入力装置
３５        記憶装置
３６        画像出力インターフェイス
３７        通信インターフェイス
３８        カメラ制御部
３９        画像処理回路
４０        センサ回路
５１        ターミナルアダプタ部
５３        通信部
５４        ＭＰＵ
５５        記憶部
７０        データバス
７１        ＣＰＵ
７２        ＲＡＭ
７３        時計装置（ＲＴＣ）
７４        記憶装置
７５        第１通信インターフェイス
７６        第２通信インターフェイス
１０６      第１通信インターフェイス
１０７      表示装置
１０８      ＲＡＭ
１０９      記憶装置
１１０      入力装置
１１１      プリント装置
１１２      データバス
１１３      ＣＰＵ
１１４      時計装置（ＲＴＣ）
１１５      第２通信インターフェイス
【図１】
0004846108.tif 000002
【図２】
0004846108.tif 000003
【図３】
0004846108.tif 000004
【図４】
0004846108.tif 000005
【図５】
0004846108.tif 000006
【図６】
0004846108.tif 000007
【図７】
0004846108.tif 000008
【図８】
0004846108.tif 000009
【図９】
0004846108.tif 000010
【図１０】
0004846108.tif 000011
【図１１】
0004846108.tif 000012
【図１２】
0004846108.tif 000013
【図１３】
0004846108.tif 000014
【図１４】
0004846108.tif 000015
【図１５】
0004846108.tif 000016
【図１６】
0004846108.tif 000017
【図１７】
0004846108.tif 000018
【図１８】
0004846108.tif 000019
【図１９】
0004846108.tif 000020
【図２０】
0004846108.tif 000021
【図２１】
0004846108.tif 000022
【図２２】
0004846108.tif 000023
【図２３】
0004846108.tif 000024
【図２４】
0004846108.tif 000025
【図２５】
0004846108.tif 000026
【図２６】
0004846108.tif 000027
【図２７】
0004846108.tif 000028
【図２８】
0004846108.tif 000029
【図２９】
0004846108.tif 000030